(57)【特許請求の範囲】
【請求項１】
保管庫本体の前面開口部の上下内面にそれぞれ３本のスライドレールが前後に並べて設けられ、該スライドレールには前側扉、中間扉および後側扉がそれぞれ左右方向に移動自在に配設された保管庫において、前側扉の裏面の左右何れか一側の上部には上下に長い上ガイドレールが固着され、中間扉の裏面の左右何れか一側の略中央部には上下に長い中間ガイドレールが固着され、上記３枚の扉の裏面側にはｙ字状に組み合わされた長尺レバーと短尺レバーとを備えるリンク機構が設けられ、上記長尺レバーの上端は上ガイドレールに上下動自在に装着され、該長尺レバーの中央部と上記短尺レバーの上端との枢着部は上記中間ガイドレールに上下動自在に装着され、長尺レバーの下端は後側扉の裏面の左右何れか一側の下部に枢着され、短尺レバーの下端は前側扉の裏面の左右何れか一側の下部に枢着されていることを特徴とする保管庫。
【発明の詳細な説明】
【０００１】
【発明の属する技術分野】
この発明は本体の前面開口部を開閉する引違い式の扉を備えた保管庫に係り、特に前側扉、中間扉および後側扉を備え、これら全ての扉の裏面側に一組のリンク機構が設けられて、開閉時に全ての扉が連動して開閉移動されるように構成された保管庫に関する。
【０００２】
【従来の技術】
一般的な物品収納用の大型保管庫はその前面の開口に引違い式の扉を２枚配して構成され、保管庫開口幅の約１／２を開口できるように構成されている。このような構成では保管庫開口の中央部分に収納することや、この部分に収納された物を取り出すことが困難である。つまり、保管庫の中央に保管してあるファイル等はその脇のものを取り出してからでなければ取り出すことができない。
【０００３】
また、従来の２枚扉構造または３枚扉構造の保管庫においては、扉の開放時に一方の扉が他方の扉を通過して反対側へ移動してしまうことを防止するストッパが設けられているが、こうしたストッパは扉の開閉の際に係合部同士の衝突音を発生してしまい耳障りなものである。
【０００４】
一方、特公平０７−０６８８１７号公報に示される保管庫の扉装置は開口部の中央部を開放可能とするために前後３列のレール上に合計５枚の扉を備えている。すなわち、前列のレール上および中間列のレール上にそれぞれ２枚の扉が左右に移動自在に設けられ、後列のレール上に前列の扉のほぼ２倍の幅を有する１枚の扉が設けられている。さらに、前列の２枚の扉と後列の１枚の扉は閉扉時に後列の扉が開口部の中央に、また前列の扉が開口部の左右端にそれぞれ位置するようにＸ字形のリンク機構を介して左右方向に拡縮動作可能に連結されている。一方、中間レール上の扉は該中間列の扉と後列の扉とに設けられたストッパにより引き違い移動が規制され且つ閉扉時に前列の左右の扉と後列の中央の扉との間を塞ぐように構成されている。
【０００５】
しかし、中間列レール上の扉は中間開度のとき中間列の扉が一定の範囲内で自由に横移動し得るため、５枚組の扉の開閉動作時にストッパが耳障りな衝突音を発生してしまう。また、Ｘ字形のリンク機構は２本のリンクの両端部を同時に前列のガイドレールまたは枢着部に取り付ける必要があるため、組付け作業が困難である。
【０００６】
【発明が解決しようとする課題】
したがって、この発明の目的は部品点数の増加を避けることができ、扉が中間開度の時に扉間の衝突音を防止でき、しかも横揺れ等によって扉がかってに開くことを防止できる保管庫を提供することにある。
【０００７】
【課題を解決するための手段】
上記課題を解決するために、請求項１記載の発明は、保管庫本体の前面開口部の上下内面にそれぞれ３本のスライドレールが前後に並べて設けられ、該スライドレールには前側扉、中間扉および後側扉がそれぞれ左右方向に移動自在に配設された保管庫において、前側扉の裏面の左右何れか一側の上部には上下に長い上ガイドレールが固着され、中間扉の裏面の左右何れか一側の略中央部には上下に長い中間ガイドレールが固着され、上記３枚の扉の裏面側にはｙ字状に組み合わされた長尺レバーと短尺レバーとを備えるリンク機構が設けられ、上記長尺レバーの上端は上ガイドレールに上下動自在に装着され、該長尺レバーの中央部と上記短尺レバーの上端との枢着部は上記中間ガイドレールに上下動自在に装着され、長尺レバーの下端は後側扉の裏面の左右何れか一側の下部に枢着され、短尺レバーの下端は前側扉の裏面の左右何れか一側の下部に枢着されていることを特徴とする。
【０００８】
上記構成によれば、３枚の扉のそれぞれの幅寸法を保管庫の本体の開口部の全幅の１／２未満に設定することができるので、保管庫の中央部付近も開放可能に構成できる。また、３枚の扉は全てリンク機構により互いに連結されており、扉の開閉に従って上ガイドレールおよび中間ガイドレールに沿って、長尺レバーおよび短尺レバーの上端側が上下動され、且つ長尺レバーおよび短尺レバーの下端の枢着部分が回動される。従って、上記前側扉または後側扉の開閉の開始から終了までの間、該開閉の開度に応じて常に上記リンク機構が連動され、中間扉を自動的且つ連続的に左右移動するので、従前のような衝突音等を一切生じる虞れがない。また、全ての扉は長尺レバーおよび短尺レバーの自重による倒れ込み作用により、常に閉鎖方向に付勢され、横揺れ等を受けて開放されることを防止できる。各扉とリンク機構の部品点数は必要にして最小限に抑えられており、組立作業に際しても、先ず長尺レバーの上端を上ガイドレールに装着し、その後に長尺レバーの中央部と短尺レバーの上端との枢着部を中間ガイドレールに装着し、次に、長尺レバーの下端を後側扉の一側の下部に枢着し、短尺レバーの下端を前側扉の一側の下部に枢着して完成されるので、狭い保管庫内であっても両手を使わずに片手で簡単に組立作業ができる。
【０００９】
【発明の実施の形態】
以下、図面を参照して本発明の実施例につき説明する。
【第１実施例】
本発明の第１実施例を図面に基づいて説明する。図１は保管庫の斜視図、図２は３枚の扉の裏面の構造を示す斜視図、図３はリンク機構を扉の裏面に取り付ける状態を示す斜視図、図４はリンク機構が組み込まれた扉の裏面を示す斜視図、図５はリンクの構造を示す要部の平面図、図６はリンク機構の構成を扉の上部を切断して示す平断面図、図７はリンク機構の下端の枢着部分を扉の下部を切断して示す平断面図である。
【００１０】
保管庫の本体１はその前面に矩形状の開口部２を有し、該開口部２の上部内側面および下部内側面にはそれぞれその全幅に亘って延びる３本のスライドレール２ａが前後に並べられて設けられている。該スライドレール２ａには前側扉３、中間扉４、および後側扉５がそれぞれ左右方向に移動自在に配設されている。
【００１１】
上記前側扉３は開口部２の全横幅寸法の１／２に満たない幅寸法に設定されており、例えば、閉鎖時には保管庫の本体１の正面視右側に位置され、前側扉３の前面右側の上下略中央には把手３１が凹設されている。上記中間扉４の幅は前側扉３の把手３１を除く幅寸法に対応するように設定されており、前側扉３の把手３１を除く後側に重ねることのできるように構成されている。上記後側扉５はその幅寸法を上記前側扉３と略同じに設定されており、該後側扉５の前面左側の上下略中央には器状の把手５１が取り付けられている。
【００１２】
上述のように構成された３枚の扉３，４，５の裏面には一組のリンク機構６が設けられている。
【００１３】
前側扉３の裏面の上部左側には平面視略Ｃ字状の断面であり上下に長い上ガイドレール３２が固着されており、該上ガイドレール３２の上側右側にリンク機構６を取り付けるための切欠形状の挿入口３２ａが形成されている。上記前側扉３の裏面の下部左側にはリンク機構６を取り付けるための取付用ブラケット３３が固着されており、該取付用ブラケット３３の中央にはリンク機構６を枢着する枢着孔３３ａが穿設されている。また、中間扉４の裏面の左側の上下中央には平面視略Ｃ字状の断面をもち上下に長い中間ガイドレール４１が固着されており、該中間ガイドレール４１の上端には上方に開口する挿入口４１ａが形成されている。上記後側扉５の裏面の下部左側には取付用ブラケット５２が固着されており、該取付用ブラケット５２の中央には枢着孔５２ａが穿設されている。
【００１４】
上記リンク機構６は長尺な平板材からなる長尺レバー６１と、該長尺レバー６１の約１／２の長さの平板材からなる短尺レバー６２とがｙ字状に配置され、短尺レバー６２の上端が長尺レバー６１の中央部に重ね合わせられ、該重ね合わせ部分が揺動自在に連結されている。
【００１５】
上記長尺レバー６１の上端と、該長尺レバー６１の短尺レバー６２が枢着される中央部とには、それぞれボールベアリングからなる転動ローラ６１ａが枢着されており、長尺レバー６１の上端の転動ローラ６１ａは上ガイドレール３２に上下動自在に装着され、長尺レバー６１の短尺レバー６２が枢着される中央部の転動ローラ６１ａは中間ガイドレール４１に上下動自在に装着されるよう構成されている。また、長尺レバー６１の下端は上記取付用ブラケット５２の枢着孔５２ａに枢着され、短尺レバー６２の下端は上記取付用ブラケット３３の枢着孔３３ａに枢着可能に構成されている。
【００１６】
長尺レバー６１の上端にはボルトナット構造によって転動ローラ６１ａが取り付けられており、該長尺レバー６１と転動ローラ６１ａとの間には所定厚のスペーサ６１ｂが挟み込まれている。また、長尺レバー６１の中央部には基端部に転動ローラ６１ａが枢着された支軸６２ｃが貫通状に取り付けられており、該長尺レバー６１と転動ローラ６１ａとの間には所定厚のスペーサ６１ｂが挟み込まれている。該支軸６２ｃの先端側には摩擦抵抗を低減する樹脂ワッシャ６２ｄが挿通され、さらに、短尺レバー６２の上端が貫通状に挿通されている。したがって、該長尺レバー６１と短尺レバー６２は互いに揺動自在に連結されている。該短尺レバー６２から突出された支軸６２ｃの先端側には環状の溝が刻設されており、該環状の溝にＥリング６２ｅが嵌着されることによって抜止めされている。長尺レバー６１および短尺レバー６２のそれぞれの下端には枢着孔６１ｃ，６２ｆが板厚方向に穿設されている。
【００１７】
以上のように構成されたリンク機構６は次のような手順に従って扉３，４，５の裏面に装着される。先ず、既に保管庫の本体１に組み込まれている３枚の扉３，４，５を摺動して重ね合わせ、該本体１の開口部２の正面視右側を開放するように移動させる。次に、リンク機構６として組み立て済みの長尺レバー６１と短尺レバー６２を本体１内に収容し、長尺レバー６１の上端の転動ローラ６１ａを上ガイドレール３２の挿入口３２ａに挿入し、さらに、長尺レバー６１の中央部に設けられた転動ローラ６１ａを中間ガイドレール４１の挿入口４１ａに挿入し、その後に、長尺レバー６１と短尺レバー６２の下端を振り分けて、短尺レバー６２の下端を、前側扉３の取付用ブラケット３３に対応させ、枢着孔６２ｆ，３３ａに樹脂製のプッシュリベット６３を圧入する。また、長尺レバー６１の下端を取付用ブラケット５２に対応させ、枢着孔６１ｃ，５２ａを一致させ樹脂製のプッシュリベット６３を押し込み組み立てを完了する。
【００１８】
【第１参考例】
図８はこの発明の第１参考例の要部を示す斜視図である。図中に示される前側扉３の裏面の上部左側には上下に長い上ガイドレール３２が設けられ、該上ガイドレール３２の上部右側には切欠状の挿入口３２ａが形成されている。中間扉４の裏面の左側の上下中央には上下に長い中間ガイドレール４１が設けられ、その上端には挿入口４１ａが形成されている。後側扉５の裏面の上部左側には、上下に長い上ガイドレール５４が設けられ、該上ガイドレール５４の上部左側には切欠状の挿入口５４ａが形成されている。上記後側扉５の下部左側には取付用ブラケット５２が設けられ、該取付用ブラケット５２には図示しない枢着孔が穿設されている。
【００１９】
リンク機構６は長尺レバー６１と、該長尺レバー６１の中央部に下端を枢着された短尺レバー６２とを備えており、長尺レバー６１の上端と、該長尺レバー６１と短尺レバー６２の枢着部と、該短尺レバー６２の上端とのそれぞれには転動ローラ６１ａが枢着されている。上記長尺レバー６１の下端には図示しない枢着孔が穿設されている。
【００２０】
以上のように構成されたリンク機構６は次のような手順に従って扉３，４，５の裏面に装着される。上記長尺レバー６１の上端の転動ローラ６１ａを上ガイドレール３２の挿入口３２ａに挿入し、短尺レバー６２の上端の転動ローラ６１ａを上ガイドレール５４の挿入口５４ａに挿入し、さらに、長尺レバー６１の中央部と短尺レバー６２の下端の枢着部に設けられた転動ローラ６１ａを中間ガイドレール４１の挿入口４１ａに挿入する。上記長尺レバー６１の下端の枢着孔を、取付用ブラケット５２の枢着孔に対応し、樹脂製のプッシュリベット６３を圧入し枢着する。
【００２１】
【第２参考例】
図９はこの発明の第２参考例の要部を示す斜視図である。図中に示される前側扉３の裏面の上部左側には上下に長い上ガイドレール３２が設けられ、該上ガイドレール３２の上部右側には切欠状の挿入口３２ａが形成されている。該前側扉３の裏面の下部左側には取付用ブラケット３３が設けられており、該取付用ブラケット３３には図示しない枢着孔が穿設されている。中間扉４の裏面の左側の上下中央には上下に長い中間ガイドレール４１が設けられ、その上端には挿入口４１ａが形成されている。後側扉５の裏面の上部左側には上下に長い上ガイドレール５４が設けられ、該上ガイドレール５４の上部左側には切欠状の挿入口５４ａが形成されている。上記後側扉５の裏面の下部左側には取付用ブラケット５２が設けられ、該取付用ブラケット５２には図示しない枢着孔が穿設されている。
【００２２】
リンク機構６は同一の長さの２本のレバー６１をＸ字状に枢着して構成され、双方のレバー６１の上端と、互いの枢着部とにはそれぞれ転動ローラ６１ａが枢着されている。上記２本のレバー６１の下端にはそれぞれ図示しない枢着孔が穿設されている。
【００２３】
以上のように構成されたリンク機構６は次のような手順に従って扉３，４，５の裏面に装着される。上記２本のうちの一方のレバー６１の上端の転動ローラ６１ａを上ガイドレール３２の挿入口３２ａに挿入し、また、他方のレバー６１の上端の転動ローラ６１ａを上ガイドレール５４の挿入口５４ａに挿入し、さらに、２本のレバー６１の中央部の転動ローラ６１ａを中間ガイドレール４１の挿入口４１ａに挿入する。上記一方のレバー６１の下端の枢着孔を取付用ブラケット５２の枢着孔に対応し樹脂製のプッシュリベット６３を圧入して枢着し、他方のレバー６１の下端の枢着孔を取付用ブラケット３３の枢着孔に対応し樹脂製のプッシュリベット６３を圧入して枢着する。
【００２４】
【第３参考例】
図１０はこの発明の第３参考例の要部を示す斜視図である。図中に示される前側扉３の裏面の上部左側には上下に長い上ガイドレール３２が設けられ、該上ガイドレール３２の上部右側には切欠状の挿入口３２ａが形成されている。該前側扉３の裏面の下部左側には上下に長い下ガイドレール３４が設けられ、該下ガイドレール３２の下部右側には切欠状の挿入口３４ａが形成されている。中間扉４の裏面の左側の上下中央には取付用ブラケット４２が設けられ、該取付用ブラケット４２の中央には図示しない枢着孔が穿設されている。後側扉５の裏面の上部左側には上下に長い上ガイドレール５４が設けられ、該上ガイドレール５４の上部左側には切欠状の挿入口５４ａが形成されている。上記後側扉５の裏面の下部左側には上下に長い下ガイドレール５５が設けられ、該下ガイドレール５５の下部左側には切欠状の挿入口５５ａが形成されている。
【００２５】
リンク機構６を構成する同一の長さの２本のレバー６１は、それぞれの中央部に図示しない枢着孔が穿設されており、双方のレバー６１の全ての上下端にはそれぞれ転動ローラ６１ａが枢着されている。
【００２６】
リンク機構６は次のような手順に従って扉３，４，５の裏面に装着される。上記２本のうちの一方のレバー６１の上端の転動ローラ６１ａを上ガイドレール３２の挿入口３２ａに挿入し、該一方のレバー６１の下端の転動ローラ６１ａを下ガイドレール５５の挿入口５５ａに挿入する。他方のレバー６１の上端の転動ローラ６１ａを上ガイドレール５４の挿入口５４ａに挿入し、該他方のレバー６１の下端の転動ローラ６１ａを下ガイドレール３４の挿入口３４ａに挿入する。２本のレバー６１の中央部間に摩擦抵抗を低減する図示しない樹脂ワッシャを挟み込み、双方のレバー６１の中央部の枢着孔と、上記取付用ブラケット４２の枢着孔とを一致させ、樹脂製のプッシュリベット６３を圧入して枢着する。
【００２７】
【第４参考例】
図１１は第４参考例の要部を示す斜視図である。図中に示される扉装置は２枚の扉を一組として構成された保管庫に対しても、上記第１実施例に説明済みのリンク機構６を適用可能であることを示すものである。つまり、上記第１実施例では後部扉５の裏面の下部左側に枢着されていた長尺レバー６１の下端を、中間扉４に対応する２枚目の扉４の裏面の下部右側に枢着することによって、２枚組の扉に対してもｙ字形状のリンク機構６を適用可能である。
【００２８】
また、上述した全ての実施例において、何れか１枚、何れか２枚、または全ての扉を蛇腹状に折り畳み可能な構成とすることも可能である。さらに、上記実施例では図１に示されるように保管庫の本体１の正面視で右側から左側に前側扉３、中間扉４，後側扉５と順次配置されるように設定されていたが、これに限定されず、左側から右側へ前側扉３、中間扉４，後側扉５と順次配置されるように設定することも可能である。この際、リンク機構、ガイドレール、枢着孔等もまた、左右反転された構造とする必要があるのは勿論である。
【００２９】
【発明の効果】
本発明によれば前側扉、中間扉および後側扉を設けたことにより保管庫の本体の中央部への収納を容易にし、且つ、部品点数を必要最低限に抑えることが可能なので、製造時の組立工数を削減することができる。また、リンク機構は扉同士の衝突を無くし、開閉時の静粛性を向上し、リンク機構の自重による自動的な扉閉鎖機能をもつので、横揺れを受けた場合であっても、自動的に閉鎖して開放を防止できる。
【図面の簡単な説明】
【図１】  第１実施例の保管庫の本体を示す斜視図である。
【図２】  図１の３枚の扉の裏面形状を示す斜視図である。
【図３】  扉に組み込まれるリンク機構を示す分解斜視図である。
【図４】  図１のリンク機構を備えた３枚の扉の裏面構造を示す斜視図である。
【図５】  リンク機構の要部を示す平面図である。
【図６】  全開された図１の扉をリンク機構上部で切断して示す平断面図である。
【図７】  全開した図１の扉をリンク機構の下端部で切断して示す平断面図である。
【図８】  第１参考例のリンク機構を備えた３枚の扉の裏面構造を示す斜視図である。
【図９】  第２参考例のリンク機構を備えた３枚の扉の裏面構造を示す斜視図である。
【図１０】  第３参考例のリンク機構を備えた３枚の扉の裏面構造を示す斜視図である。
【図１１】  第４参考例のリンク機構を備えた２枚の扉の裏面構造を示す斜視図である。
【符号の説明】
１        保管庫の本体
２        開口部
２ａ      スライドレール
３        前側扉
３１      把手
３２      上ガイドレール
３２ａ    挿入口
３３      取付用ブラケット
３３ａ    枢着孔
３４      下ガイドレール
３４ａ    挿入口
４        中間扉
４１      中間ガイドレール
４１ａ    挿入口
４２      取付用ブラケット
５        後側扉
５１      把手
５２      取付用ブラケット
５２ａ    枢着孔
５４      上ガイドレール
５４ａ    挿入口
５５      下ガイドレール
５５ａ    挿入口
６        リンク機構
６１      長尺レバー
６１ａ    転動ローラ
６１ｂ    スペーサ
６１ｃ    枢着孔
６２      短尺レバー
６２ｃ    支軸
６２ｄ    樹脂ワッシャ
６２ｅ    Ｅリング
６２ｆ    枢着孔
６３      プッシュリベット
【図１】
0003773004.tif 000002
【図２】
0003773004.tif 000003
【図３】
0003773004.tif 000004
【図４】
0003773004.tif 000005
【図５】
0003773004.tif 000006
【図６】
0003773004.tif 000007
【図７】
0003773004.tif 000008
【図８】
0003773004.tif 000009
【図９】
0003773004.tif 000010
【図１０】
0003773004.tif 000011
【図１１】
0003773004.tif 000012